(57)【要約】【課題】携帯端末装置の所有者が携帯端末装置を所持していない場合，この携帯端末装置に連絡をした連絡元に対して，所有者が携帯端末装置を所持していない旨を通知することのできる携帯端末装置を提供する。【解決手段】不所持通知アプリケーション１０は，ユーザ２が予め設定した設定時間内において，携帯電話１の所有者であるユーザ２が携帯電話１を所持していることを示すインベントの発生を監視する動作を行い，設定時間内にイベントを検知しない場合は，ユーザ２が携帯電話１を所持していない不所持状態に状態遷移し，不所持状態に状態遷移した後に他の装置３から連絡を受けると，他の装置３から受けた連絡の形態に合わせて，ユーザ２が携帯電話１を所持していないことを意味するメッセージを該他の装置３に通知する処理を実行する。【選択図】図１
2011199552.tif 000002
【特許請求の範囲】
【請求項１】
無線通信機能を備えた携帯端末装置であって，所有者によって予め設定された監視開始時刻になると，所有者が前記携帯端末装置を所持していることを示すインベントの発生の監視を開始し，所有者によって予め設定された監視終了時刻になるまでの間に前記イベントを検知しない場合，所有者が前記携帯端末装置を所持していないと判定した不所持状態に状態遷移し，前記不所持状態にいる間，他の装置から連絡を受けると，連絡の形態に合わせて，所有者が前記携帯端末装置を所持していないことを意味するメッセージを前記他の装置へ送信する不所持通知手段を備えたことを特徴とする携帯端末装置。
【請求項２】
前記不所持通知手段は，外部端末と連動して自動的に起動するアプリケーションの起動をイベントとして監視することを特徴とする，請求項１に記載の携帯端末装置。
【請求項３】
前記不所持通知手段は，前記アプリケーションを定期券アプリケーションとすることを特徴とする，請求項２に記載の携帯端末装置。
【請求項４】
前記不所持通知手段は，所有者によって予め設定されたリセット時刻になると，前記不所持状態を解除する処理を実行することを特徴とする，請求項１から請求項３のいずれか一つに記載の携帯端末装置。
【請求項５】
前記不所持通知手段は，所定のキー操作が実行されると，前記不所持状態を解除する処理を実行することを特徴とする，請求項１から請求項４のいずれか一つに記載の携帯端末装置。
【請求項６】
前記不所持通知手段は，電話により連絡を受けた場合は前記メッセージを音声で前記他の装置へ送信し，電子メールにより連絡を受けた場合は前記メッセージを電子メールで前記他の装置へ送信することを特徴とする，請求項１から請求項５のいずれか一つに記載の携帯端末装置。
【請求項７】
請求項１から請求項６のいずれか一つに記載の携帯端末装置に備えられた前記不所持通知手段として，アプリケーションプロセッサを機能させるためのアプリケーションプログラム。
【発明の詳細な説明】
【技術分野】
【０００１】
本発明は，携帯電話やスマートフォンなどの携帯端末装置に係わり，詳しくは，ユーザが携帯端末装置を所持していないことを，携帯端末装置に連絡をした相手に通知するための発明である。
【背景技術】
【０００２】
携帯電話やスマートフォンなどの携帯端末装置が普及し，この携帯端末装置には，音声通話や電子メールなどにより，他の携帯端末装置と連絡を取り合うための機能が備えられている。
【０００３】
携帯端末装置は小型化されて，携帯端末装置を常時携帯できるようになっているが，何らかの諸事情により，他の携帯端末装置から受けた連絡に携帯端末装置の所有者が応答できない場合があるため，他の携帯端末装置から受けた連絡に携帯端末装置の所有者が応答できないことを，この他の携帯端末装置に通知することが必要になる。
【０００４】
従来から，音声通話による連絡の場合に対しては，音声通話による連絡に携帯端末装置の所有者が応答できないことを他の携帯端末装置に通知するために，携帯端末装置自身又は携帯端末装置システムの交換器に，留守番電話の機能が設けられている。
【０００５】
他の携帯端末装置から受けた連絡に携帯端末装置の所有者が応答できないことを，この他の携帯端末装置に通知するための発明も数多く開示され，例えば，特許文献１では，折り畳み式携帯電話を開閉する操作によって，特定のサービス（例えば，留守番電話）の開始または解除を無線基地局に設定できる発明が開示されている。
【０００６】
また，特許文献２では，ユーザが指定した指定期間中，このユーザ宛に対するメールが送信されると，このユーザ宛にメールを送信できない旨をメールの送信元に自動返信できる発明が開示されている。
【先行技術文献】
【特許文献】
【０００７】
【特許文献１】特開２０００−２２７８９号公報
【特許文献２】特開2 0 0 4 - 3 1 2 1 8 7号公報
【発明の概要】
【発明が解決しようとする課題】
【０００８】
しかしながら，他の携帯端末装置から受けた連絡に携帯端末装置の所有者が応答できない理由として，携帯端末装置の所有者が携帯端末装置を所持しているが，公共交通機関の車内や会社の打ち合わせ室など，携帯端末装置の利用が許可されていないに場所に受信者がいるケースもあるが，受信者が携帯端末装置を家などに置き忘れるなどして，受信者が携帯端末装置を所持していないケースもある。
【０００９】
上述した前者のケースでは，携帯端末装置の利用が許可されていないに場所から受信者が出れば，留守番電話や着信メールを確認することで，他の携帯端末装置から連絡を受けた用件を確認し，必要があれば連絡元へ連絡することが可能であるが，上述した後者のケースでは，連絡元は受信者が携帯端末装置を所持していないか判断できないため，急を要する連絡を携帯端末装置に行っても，受信者に用件が伝わるかどうかもわからずに，受信者からの連絡を長時間に渡り待たなければならないことがあった。
【００１０】
そこで，本発明は，携帯端末装置の所有者が携帯端末装置を所持していない場合，この携帯端末装置に連絡をした連絡元に対して，所有者が携帯端末装置を所持していない旨を通知することのできる携帯端末装置及びアプリケーションプログラムを提供することを目的とする。
【課題を解決するための手段】
【００１１】
上述した課題を解決する第１の発明は，無線通信機能を備えた携帯端末装置であって，所有者によって予め設定された監視開始時刻になると，所有者が前記携帯端末装置を所持していることを示すインベントの発生の監視を開始し，所有者によって予め設定された監視終了時刻になるまでの間に前記イベントを検知しない場合，所有者が前記携帯端末装置を所持していないと判定した不所持状態に状態遷移し，前記不所持状態にいる間，他の装置から連絡を受けると，連絡の形態に合わせて，所有者が前記携帯端末装置を所持していないことを意味するメッセージを前記他の装置へ送信する不所持通知手段を備えたことを特徴とする携帯端末装置である。
【００１２】
上述した第１の発明によれば，所有者が前記携帯端末装置を所持していることを示すインベントが監視終了時刻までに発生しなければ，監視終了時刻以降に前記携帯端末装置へ連絡した連絡元に対して，所有者が前記携帯端末装置を所持していないことを意味するメッセージが送信されるようになる。なお，本発明において，前記携帯端末装置とは，携帯電話やスマートフォンなどの装置を意味している。
【００１３】
更に，第２の発明は，前記不所持通知手段は，外部端末と連動して自動的に起動するアプリケーションの起動をイベントとして監視することを特徴とする第１の発明に記載の携帯端末装置である。
【００１４】
更に，第３の発明は，前記不所持通知手段は，前記アプリケーションを定期券アプリケーションとすることを特徴とする第２の発明に記載の携帯端末装置である。
【００１５】
前記不所持通知手段が監視する前記イベントをキー操作とすることもできるが，監視開始時刻から監視終了時刻までの間に，所有者が自宅にいながらにしてキー操作を行う可能性もあるため，第２の発明のように，ユーザが日常的に利用し，かつ，外部端末と連動して自動的に起動するアプリケーションの起動を前記イベントとすることが望ましく，第３の発明のように，このアプリケーションとしては定期券アプリケーションを用いるとよい。
【００１６】
更に，第４の発明は，前記不所持通知手段は，所有者によって予め設定されたリセット時刻になると，前記不所持状態を解除する処理を実行することを特徴とする第１の発明から第３の発明のいずれか一つに記載の携帯端末装置である。
【００１７】
更に，第５の発明は，前記不所持通知手段は，所定のキー操作が実行されると，前記不所持状態を解除する処理を実行することを特徴とする第１の発明から第４の発明のいずれか一つに記載の携帯端末装置である。
【００１８】
また，第４の発明及び第５の発明のように，前記不所持状態を解除できるようにすることが望ましく，第４の発明によれば，リセット時刻になると自動的に前記不所持状態は解除され，第５の発明によれば，所有者は任意のタイミングで前記不所持状態を解除できる。
【００１９】
更に，第６の発明は，前記不所持通知手段は，電話により連絡を受けた場合は前記メッセージを音声で前記他の装置へ送信し，電子メールにより連絡を受けた場合は前記メッセージを電子メールで前記他の装置へ送信することを特徴とする第１の発明から第５の発明のいずれか一つに記載の携帯端末装置である。
【００２０】
また，現時点で広く普及している携帯電話やスマートフォンには，連絡の形態として電話及び電子メールが備えられていることが一般的であるため，第６の発明のように，電話により連絡を受けた場合は前記メッセージを音声で前記他の装置へ送信し，電子メールにより連絡を受けた場合は前記メッセージを電子メールで前記他の装置へ送信できるようにするとよい。
【００２１】
更に，第７の発明は，第１の発明から第６の発明のいずれか一つに記載の携帯端末装置に備えられた前記不所持通知手段として，前記携帯端末装置を機能させるためのアプリケーションプログラムである。
【００２２】
第７の発明に記載のアプリケーションプログラムを市販の携帯端末装置にインストールすることで，第１の発明から第６の発明のいずれか一つに記載の携帯端末装置として，市販の携帯端末装置を機能させることができる。
【発明の効果】
【００２３】
このように，本発明によれば，携帯端末装置の所有者が携帯端末装置を所持していない場合，この携帯端末装置に連絡をした連絡元に対して，所有者が携帯端末装置を所持していない旨を通知することのできる携帯端末装置及びアプリケーションプログラムを提供できる。
【図面の簡単な説明】
【００２４】
【図１】本発明の一実施形態を説明する図。
【図２】携帯電話のブロック図。
【図３】不所持通知アプリケーションの状態遷移を説明する図。
【図４】状態と携帯電話の振る舞いの関係を説明する図。
【図５】不所持通知アプリケーションに設定されている時刻の一例を説明する図。
【図６】一日における状態遷移の一例を説明する図。
【発明を実施するための形態】
【００２５】
ここから，本願発明の実施形態について，本願発明の技術分野に係わる当業者が，本願発明の内容を理解し，本願発明を実施できる程度に説明する。
【００２６】
図１は，本発明の一実施形態を説明する図である。図１において，本発明の携帯端末装置として機能する携帯電話１は，公衆無線回線網などを含むネットワーク４を介して他の装置３（例えば，図１では携帯電話として図示）と通信する機能として，電話と電子メールを備えた装置で，携帯電話１には，携帯電話１上で動作する常駐型のアプリケーションである不所持通知アプリケーション１０が実装されている。
【００２７】
不所持通知アプリケーション１０は，ユーザ２が予め設定した設定時間内において，携帯電話１の所有者であるユーザ２が携帯電話１を所持していることを示すインベントの発生を監視する動作を行い，設定時間内にイベントを検知しない場合は，ユーザ２が携帯電話１を所持していない不所持状態に状態遷移し，不所持状態に状態遷移した後に他の装置３から連絡を受けると，他の装置３から受けた連絡の形態に合わせて，ユーザ２が携帯電話１を所持していないことを意味するメッセージを該他の装置３に通知する処理を実行する。
【００２８】
不所持通知アプリケーション１０を携帯電話１に実装させることで，所定時間内にインベントが発生しなければ，携帯電話１へ連絡した連絡元に対して，所有者が携帯電話１を所持していないことを意味するメッセージが送信されるようになる。
【００２９】
図２は，本発明の携帯端末装置として機能する携帯電話１のブロック図である。図２に図示したように，携帯電話１は，ＣＰＵ，ＲＡＭ，ＲＯＭなどが実装されたアプリケーションプロセッサ１００を備え，このアプリケーションプロセッサ１００には，無線を受信するアンテナ１０１aが接続されたＲＦ回路１０１から得られる信号を処理するベースバンド回路１０２と，メモリ１０３，液晶ディスプレイ１０４，時計回路１０５が接続され，ＰＭＵ（Power Management Unit）１０６を介して，テンキー１０７，イヤフォン・マイク１０８，振動素子１０９，バッテリ１１０が接続されている。
【００３０】
また，図１で図示した携帯電話１には，ＦｅｌｉＣａ（登録商標）の携帯電話用ＩＣチップのような近接型非接触ＩＣチップ１１１と，近接型非接触通信に利用するアンテナコイル１１１aが実装され，近接型非接触ＩＣチップ１１１はアプリケーションプロセッサ１００に接続されている。
【００３１】
携帯電話に備えられたメモリには，アプリケーションプロセッサが実行可能なアプリケーションのプログラムコードが記憶され，本実施形態では，不所持通知アプリケーション１０のプログラムコードに加えて，近接型非接触ＩＣチップ１１１を利用するアプリケーションとして定期券アプリケーション１１のプログラムコードが実装されている。
【００３２】
ここから，携帯電話１に実装された不所持通知アプリケーション１０について説明する。携帯電話１に実装された不所持通知アプリケーション１０は，携帯電話１に常駐する常駐型アプリケーションで，携帯電話１の待ち受けアプリケーションで実現することができる。
【００３３】
図３は，不所持通知アプリケーション１０の状態遷移を説明する図である。不所持通知アプリケーション１０には複数の状態があり，図３で図示したように，不所持通知アプリケーション１０の状態には，携帯電話１の所持を判定していない状態である初期状態５aと，ユーザ２が携帯電話１を所持していることを示すインベントの発生を監視する監視状態５ｂと，ユーザ２が携帯電話１を所持していないと判定した状態である不所持状態５ｃと，ユーザ２が携帯電話１を所持していると判定した状態である所持状態５ｄがある。
【００３４】
不所持通知アプリケーション１０は，不所持通知アプリケーション１０の状態をリセットする時刻であるリセット時刻からインベントの監視を開始する監視開始時刻までの間，不所持通知アプリケーション１０の状態は初期状態５aにあり，監視開始時刻になると，不所持通知アプリケーション１０の状態は初期状態５aから監視状態５ｂに遷移する。
【００３５】
監視状態５ｂに遷移すると，不所持通知アプリケーション１０は，最大で，インベントの発生の監視を終了する監視終了時刻になるまでの間，ユーザ２が携帯電話１を所持していることを示すインベントの発生を監視する動作を行い，監視終了時刻になる前にインベントを検知するとこの時点で所持状態５ｄに状態遷移し，監視終了時刻になってもインベントを検知しなければ不所持状態５ｃに遷移する。
【００３６】
不所持通知アプリケーション１０の状態が所持状態５ｄに遷移した後，ユーザ２が不所持通知アプリケーション１０の状態をリセットする手動リセット，又は，不所持通知アプリケーション１０がリセット時刻になると状態をリセットする自動リセットにより，不所持通知アプリケーション１０の状態は所持状態５ｄから初期状態５aへ遷移する。同様に，不所持通知アプリケーション１０の状態が不所持状態５ｃに遷移した後，手動リセット又は自動リセットにより，不所持通知アプリケーション１０の状態は不所持状態５ｃから初期状態５aへ遷移する。
【００３７】
図３で図示した状態遷移を行うために，不所持通知アプリケーション１０には，ユーザ２が携帯電話１を所持していることを示すインベントの発生を監視する機能と，ユーザ２が，リセット時刻，監視開始時刻及び監視終了時刻を設定するための機能と，ユーザ２が手動リセットを行うための機能を備えている。
【００３８】
ユーザ２が携帯電話１を所持していることを示すインベントの発生を監視する機能の具体的な内容は，ユーザ２が携帯電話１を所持していることを示すインベントに依存する。
【００３９】
ユーザ２が携帯電話１を所持していることを示すイベントとしては，ユーザ２が日常的に行うキー操作とすることもできるが，監視開始時刻から監視終了時刻までの間に，ユーザ２が自宅にいながらにしてキー操作を行う可能性もあるため，ユーザが日常的に利用し，かつ，外部端末と連動して自動的に起動するアプリケーションの起動をイベントとするとよい。
【００４０】
外部端末と連動して自動的に起動するアプリケーションの起動をイベントとするとき，このアプリケーションを不所持通知アプリケーション１０に設定する機能が，不所持通知アプリケーション１０に備えられ，不所持通知アプリケーション１０は，ユーザ２によって選択されたアプリケーションの起動を監視することになる。
【００４１】
ユーザ２が，外部端末と連動して自動的に起動するアプリケーションを設定する機能と，リセット時刻，監視開始時刻及び監視終了時刻を設定するための機能と，ユーザ２が手動リセットを行うための機能は，不所持通知アプリケーション１０のメニューの中から該機能に対応する項目をユーザ２が選択されることで実行される。
【００４２】
ユーザ２が，外部端末と連動して自動的に起動するアプリケーションを設定するとき，不所持通知アプリケーション１０は，携帯電話１に実装されているアプリケーションの一覧を液晶ディスプレイ１０４に表示し，テンキー１０７を操作してユーザ２が選択したアプリケーションを監視するアプリケーションとして設定する。
【００４３】
ユーザ２が，リセット時刻，監視開始時刻及び監視終了時刻を設定するとき，不所持通知アプリケーション１０は，リセット時刻，監視開始時刻及び監視終了時刻それぞれを入力する入力フォームを液晶ディスプレイ１０４に表示させ，テンキー１０７を用いてユーザ２が入力フォームに入力したそれぞれの時刻を取得する。
【００４４】
また，ユーザ２が手動リセットを行うとき，手動リセットを実行させるボタンを液晶ディスプレイ１０４に表示させ，ユーザ２がテンキー１０７を用いてこのボタンをクリックした操作を検知すると，このときの状態に係わらず，不所持通知アプリケーション１０は状態を初期状態５aに状態遷移させる。
【００４５】
不所持通知アプリケーション１０は，上述した機能に加え，不所持通知アプリケーション１０の状態が不所持状態５ｃである間に，他の装置３から連絡を受けると，他の装置３から受けた連絡に自動応答し，他の装置３から受けた連絡の形態に合わせて，ユーザ２が携帯電話１を所持していないことを意味するメッセージを他の装置３へ送信する機能を備える。
【００４６】
図４は，不所持通知アプリケーション１０の状態と携帯電話１の振る舞いの関係を説明する図である。他の装置３から受けた連絡にユーザ２が応答しないときの携帯電話１の振る舞いは，他の装置３から連絡を受けたときの不所持通知アプリケーション１０の状態に依存する。
【００４７】
不所持通知アプリケーション１０の状態が，初期状態５a，監視状態５ｂ又は所持状態５ｄのいずれかの場合，他の装置３から受けた連絡にユーザ２応答しないときの携帯電話１の振る舞いは，携帯電話１に本来から備えられた機能に従う通常動作になる。
【００４８】
例えば，携帯電話１に留守番電話が設定されているとき，他の装置３から電話により連絡を受けてもユーザ２がこの連絡に応答しない場合，携帯電話１は，この他の装置３に対して通常の留守番電話で応答することになる。また，他の装置３からメールにより連絡を受けると，携帯電話１は，携帯電話１のメールボックスに他の装置３からのメールを保管することになる。
【００４９】
不所持通知アプリケーション１０の状態が不所持状態５ｃの場合，他の装置３から連絡を受けたときの携帯電話１の振る舞いは，上述したように，他の装置３から受けた連絡に自動応答し，他の装置３から受けた連絡の形態に合わせて，ユーザ２が携帯電話１を所持していないこと意味するメッセージを他の装置３へ送信する動作になる。
【００５０】
例えば，他の装置３から電話によって連絡を受けた場合，不所持通知アプリケーション１０はこの電話に自動応答し，ユーザ２が携帯電話１を所持していないことを意味するメッセージを他の装置３へ音声で送信する。また，他の装置３からメールによって連絡を受けた場合，不所持通知アプリケーション１０がこのメールに自動応答し，メールの送信元に対して，ユーザ２が携帯電話１を所持していないことを意味するメッセージが記載されたメールを自動返信する。
【００５１】
ここから，不所持通知アプリケーション１０が監視するイベントとして，携帯電話１に実装された定期券アプリケーション１１の起動としたときの例について説明する。
【００５２】
図５は，不所持通知アプリケーション１０に設定されている時刻の一例を説明する図である。図５では，定期券アプリケーション１１が利用される可能性のある時間帯を７時から１０時とし，インベントの発生の監視を開始する監視開始時刻は７時に，インベントの発生の監視を終了する監視終了時刻は１０時に設定されている。また，自動リセットが行われるリセット時刻は，一日の終了時刻である２４時に設定されている。
【００５３】
図６は，一日における状態遷移の一例を説明する図で，図６で図示しているケース１は，ユーザ２が携帯電話１を所持したときのケースで，図６で図示しているケース２は，ユーザ２が携帯電話１を所持しなかったときのケースである。
【００５４】
まず，図６で図示しているケース１について説明する。図５において，リセット時刻は２４時に，監視開始時刻は７時に設定されているため，０時から７時の間における不所持通知アプリケーション１０の状態は初期状態５aである。
【００５５】
図５において，監視開始時刻は７時に設定されているため，７時になると不所持通知アプリケーション１０の状態は監視状態５ｂに状態遷移し，監視開始時刻である７時から監視終了時刻である１０時の間で定期券アプリケーション１１が駅の自動改札で利用され，定期券アプリケーション１１の起動を不所持通知アプリケーション１０が検知すると，この時点で，不所持通知アプリケーション１０の状態は所持状態５ｄに状態遷移する。
【００５６】
定期券アプリケーション１１の起動を不所持通知アプリケーション１０が検知した時点から，リセット時刻に設定されている２４時までの間は，不所持通知アプリケーション１０の状態は所持状態５ｄのままで，リセット時刻である２４時になると，不所持通知アプリケーション１０は自動リセットを実行し，不所持通知アプリケーション１０の状態を初期状態５aに遷移させる。
【００５７】
次に，図６で図示しているケース２について説明する。図５において，リセット時刻は２４時に，そして，監視開始時刻は７時に設定されているため，ケース１と同様に，０時から７時の間における不所持通知アプリケーション１０の状態は初期状態５aである。
【００５８】
図５において，イベントの発生の監視を開始する監視開始時刻は７時に設定されているため，７時になると不所持通知アプリケーション１０の状態は監視状態５ｂに状態遷移し，ユーザ２が携帯電話１を所持していない場合，監視開始時刻である７時から監視終了時刻である１０時の間で定期券アプリケーションは利用されず，定期券アプリケーションの起動は検知されないため，監視終了時刻である１０時になると，不所持通知アプリケーション１０の状態は不所持状５ｃに状態遷移する。
【００５９】
ケース２では，ユーザ２の帰宅時刻を２０時とし，監視終了時刻から２０時までの間は，不所持通知アプリケーション１０の状態は不所持状態５ｃのままで，ユーザ２が帰宅した時刻である２０時からリセット時刻である２４時の間に，ユーザ２が不所持通知アプリケーション１０を操作して手動リセットを実行すると，不所持通知アプリケーション１０の状態は初期状態５aに状態遷移する。
【００６０】
また，リセット時刻である２４時になると，不所持通知アプリケーション１０は，不所持通知アプリケーション１０の状態を初期状態５aに状態遷移させる処理を行うが，これ以前に手動リセットにより初期状態５aに遷移しているため，不所持通知アプリケーション１０の状態は実質的には状態遷移しない。
【００６１】
なお、本発明は、これまで説明した実施の形態に限定されることなく、種々の変形や変更が可能である。
【００６２】
これまで説明した実施形態では，本実施形態に係わる携帯端末装置を携帯電話としていたが，携帯電話以外の装置，例えば，スマートフォンなどの装置を本発明の携帯端末装置として利用できる。
【００６３】
また，上述した実施形態では，ユーザ２が携帯電話１を所持していないことを意味するメッセージを他の装置３に通知する不所持通知アプリケーション１０と，不所持通知アプリケーション１０によって起動が監視され，外部端末と連動して自動的に起動するアプリケーション（上述の実施形態では，定期券アプリケーション１１）を別にしていたが，外部端末と連動して自動的に起動するアプリケーションに，不所持通知アプリケーションの機能を備えさせるようにしてもよい。
【００６４】
なお，外部端末と連動して自動的に起動するアプリケーションに，不所持通知アプリケーションの機能を備えさせる場合，外部端末と連動して自動的に起動するアプリケーションには，外部端末と連動して自動的に起動したときに利用する機能（例えば，定期券としての機能）を実施するモジュールと，これまで説明した不所持通知アプリケーションの機能を実施するモジュールが組み込まれることになり，不所持通知アプリケーションの機能を実施するモジュールは，外部端末と連動して自動的に起動したとき利用する機能（例えば，定期券としての機能）を実施するモジュールの起動を監視することになる。
【符号の説明】
【００６５】
１    携帯電話
１０  不所持通知アプリケーション
１１  定期券アプリケーション
２    携帯電話の所有者であるユーザ
３    他の装置
【図１】
2011199552.tif 000003
【図２】
2011199552.tif 000004
【図３】
2011199552.tif 000005
【図４】
2011199552.tif 000006
【図５】
2011199552.tif 000007
【図６】
2011199552.tif 000008